(57)【要約】【課題】着呼側のＶｏＩＰ通信装置の能力を考慮して、ＶｏＩＰ通信条件のネゴシエーションを行なえるようにする。【解決手段】ＶｏＩＰ通信装置１は、既存のＶｏＩＰ通信２とＶｏＩＰ通信のための呼制御手順を行なう呼制御処理部１４と、ＩＰアドレス毎に、このＩＰアドレスを持つＶｏＩＰ通信装置２とのＶｏＩＰ通信に適用すべき通信条件がその優先順位と共に登録された通信条件テーブル１６を有する。呼制御処理部１４は、ＶｏＩＰ通信装置２へ発呼する場合に、ＶｏＩＰ通信装置２へ発呼する場合に、当該装置２のＩＰアドレスに対応付けられて通信条件テーブル１６に登録されている通信条件をその優先順位と共に当該装置２に通知することで、当該装置２の能力を考慮したＶｏＩＰ通信条件のネゴシエーションを行なう。【選択図】図２
2004040653.tif 000002
【特許請求の範囲】
【請求項１】
ＩＰ網（Ｉｎｔｅｒｎｅｔ　Ｐｒｏｔｏｃｏｌ）を介して相手装置と音声通信を行なうＶｏＩＰ（Ｖｏｉｃｅ　ｏｖｅｒ　ＩＰ）通信装置であって、
相手装置とＶｏＩＰ通信のための呼制御手順を行なう呼制御手段と、
ＩＰアドレス毎に、このＩＰアドレスを持つ相手装置とのＶｏＩＰ通信に適用すべき通信条件が登録された記憶手段と、を有し、
前記呼制御手段は、
相手装置へ発呼する場合に、当該相手装置のＩＰアドレスに対応付けられて前記記憶手段に記憶されている通信条件を当該相手装置に通知して、この通信条件でＶｏＩＰ通信を行なえるか否かを当該相手装置に問い合わせること
を特徴とするＶｏＩＰ通信装置。
【請求項２】
請求項１記載のＶｏＩＰ通信装置であって、
前記記憶手段は、
ＩＰアドレス毎に、このＩＰアドレスを持つ相手装置とのＶｏＩＰ通信に適用すべき少なくとも１つの通信条件がその優先順位と共に登録されており、
前記呼制御手段は、
相手装置へ発呼する場合に、当該相手装置のＩＰアドレスに対応付けられて前記記憶手段に記憶されている少なくとも１つの通信条件を、その優先順位と共に当該相手装置に通知すること
を特徴とするＶｏＩＰ通信装置。
【請求項３】
請求項１または２記載のＶｏＩＰ通信装置であって、
前記通信条件は、符号化方式、ＩＰパケット送出間隔およびＩＰパケットのペイロードへの音声パケット多重数の少なくとも１つを含むこと
を特徴とするＶｏＩＰ通信装置。
【請求項４】
ＩＰ網（Ｉｎｔｅｒｎｅｔ　Ｐｒｏｔｏｃｏｌ）を介して相手装置と音声通信を行なうＶｏＩＰ（Ｖｏｉｃｅ　ｏｖｅｒ　ＩＰ）通信装置におけるＶｏＩＰ通信条件の確定方法であって、
ＩＰアドレス毎に、このＩＰアドレスを持つ相手装置とのＶｏＩＰ通信に適用すべき通信条件を予め登録しておき、
ＶｏＩＰ通信のための呼制御手順において相手装置へ発呼する場合に、当該相手装置のＩＰアドレスに対応付けられて前記記憶手段に記憶されている通信条件を当該相手装置に通知して、この通信条件でＶｏＩＰ通信を行なえるか否かを当該相手装置に問い合わせること
を特徴とするＶｏＩＰ通信条件の確定方法。
【発明の詳細な説明】
【０００１】
【発明の属する技術分野】
本発明は、ＩＰ網（Ｉｎｔｅｒｎｅｔ　Ｐｒｏｔｏｃｏｌ）を介して相手装置と音声通信を行なうＶｏＩＰ（Ｖｏｉｃｅ　ｏｖｅｒ　ＩＰ）通信装置に関し、特に、ＶｏＩＰ通信条件の確定技術に関する。
【０００２】
【従来の技術】
インターネット電話機などの、ＶｏＩＰを利用して通話を行なうＶｏＩＰ通信装置が普及しつつある。ＶｏＩＰの呼制御手順は、ＩＴＵ−Ｔ（Ｉｎｔｅｒｎａｔｉｏｎａｌ　Ｔｅｌｅｃｏｍｍｕｎｉｃａｔｉｏｎｓ　Ｕｎｉｏｎ−Ｔｅｌｅｃｏｍｍｕｎｉｃａｔｉｏｎｓ　Ｓｔａｎｄａｒｄｉｚａｔｉｏｎ　Ｓｅｃｔｏｒ）のＨ．３２３や、ＳＩＰ（Ｓｅｓｓｉｏｎ　Ｉｎｉｔｉａｔｉｏｎ　Ｐｒｏｔｏｃｏｌ）に規定されている。
【０００３】
ところで、従来のＶｏＩＰ通信装置は、これらの呼制御プロトコルを用いて、符号化方式や、ＩＰパケット送出間隔や、ＩＰパケットのペイロードへのＲＴＰ（Ｒｅａｌ　Ｔｉｍｅ　Ｐｒｏｔｏｃｏｌ）パケット多重数などいった通信条件の、ネゴシエーションを、次のようにして行なっていた。
【０００４】
すなわち、各ＶｏＩＰ通信装置に、相手装置とのＶｏＩＰ通信に使用可能な通信条件を、優先順位を付けて予め登録しておく。
【０００５】
そして、呼制御手順において、発呼側のＶｏＩＰ通信装置は、自装置に登録されている全ての通信条件をそれぞれの優先順位と共に当該相手装置に通知し、これらの通信条件でＶｏＩＰ通信を行なえるか否かを当該相手装置に問い合わせる。一方、着呼側のＶｏＩＰ通信装置は、相手装置から通知された通信条件のうち、自装置に登録されている通信条件であって、相手装置での優先順位が最も高い通信条件を、当該相手装置とのＶｏＩＰ通信に用いる通信条件に決定し、その決定結果を当該相手装置に応答する。
【０００６】
なお、発呼側のＶｏＩＰ通信装置に登録されている全ての通信条件が着呼側のＶｏＩＰ通信装置に登録されていない場合、通信条件のネゴシエーションが失敗する。この場合、ＶｏＩＰ通信は行なえない。
【０００７】
【発明が解決しようとする課題】
このように、従来は、発呼側のＶｏＩＰ通信装置に登録されている通信条件のうち、着呼側のＶｏＩＰ通信装置に登録されている通信条件であって、発呼側のＶｏＩＰ通信装置での優先順位が最も高い通信条件が、ＶｏＩＰ通信に用いる通信条件に決定される。
【０００８】
このため、仮に、着呼側のＶｏＩＰ通信装置に、前記決定された通信条件よりも高い優先順位を持つ通信条件が登録されており、さらに、この通信条件が、発呼側のＶｏＩＰ通信装置に登録されている場合でも、この通信条件でＶｏＩＰ通信を行なうことができない。したがって、着呼側のＶｏＩＰ通信装置やこれが接続されたＩＰ網（例えばサブネット）の能力を考慮することができなかった。
【０００９】
本発明は上記事情に鑑みてなされたものであり、本発明の目的は、着呼側のＶｏＩＰ通信装置やこれが接続されたＩＰ網の能力を考慮して、ＶｏＩＰ通信条件のネゴシエーションを行なえるようにすることにある。
【００１０】
【課題を解決するための手段】
上記課題を解決するために、本発明では、ＶｏＩＰ通信装置に、相手装置とＶｏＩＰ通信のための呼制御手順を行なう呼制御手段と、ＩＰアドレス毎に、このＩＰアドレスを持つ相手装置とのＶｏＩＰ通信に適用すべき通信条件が登録された記憶手段と、を設ける。そして、前記呼制御手段は、相手装置へ発呼する場合に、当該相手装置のＩＰアドレスに対応付けられて前記記憶手段に記憶されている通信条件を当該相手装置に通知して、この通信条件でＶｏＩＰ通信を行なえるか否かを当該相手装置に問い合わせる。
【００１１】
ここで、通信条件は、符号化方式、ＩＰパケット送出間隔およびＩＰパケットのペイロードへの音声パケット多重数の少なくとも１つを含む。
【００１２】
本発明は、以上のようにすることで、発呼側のＶｏＩＰ通信装置は、着呼側のＶｏＩＰ通信装置各々に対し、個別に用意された通信条件を最初から通知することができる。このため、着呼側のＶｏＩＰ通信装置やこれが接続されたＩＰ網の能力を考慮したＶｏＩＰ通信条件のネゴシエーションが可能となる。
【００１３】
なお、本発明において、前記記憶手段に、ＩＰアドレス毎に、このＩＰアドレスを持つ相手装置とのＶｏＩＰ通信に適用すべき少なくとも１つの通信条件を、優先順位と共に登録するようにしてもよい。そして、前記呼制御手段は、相手装置へ発呼する場合に、当該相手装置のＩＰアドレスに対応付けられて前記記憶手段に記憶されている少なくとも１つの通信条件を、その優先順位と共に当該相手装置に通知するようにしてもよい。
【００１４】
【発明の実施の形態】
以下、本発明の実施の形態について説明する。
【００１５】
図１は、本発明の一実施形態であるＶｏＩＰ通信装置が用いられたＶｏＩＰ通信システムの概略図である。
【００１６】
図１において、符号１が本実施形態のＶｏＩＰ通信装置である。ＶｏＩＰ通信装置１は、公衆回線網４や、ＰＢＸ（Ｐｒｉｖａｔｅ　Ｂｒａｎｃｈ　Ｅｘｃｈａｎｇｅ）などの交換機５や、一般電話機、ＦＡＸ機などの回線端末６を収容している。
【００１７】
符号２１〜２３は、従来の技術の欄で説明した既存のＶｏＩＰ装置である。ＶｏＩＰ装置２１〜２３（以下、単にＶｏＩＰ装置２とも呼ぶ）各々は、相手装置とのＶｏＩＰ通信に使用可能な通信条件が優先順位を付けて予め登録されている。ここでは、ＶｏＩＰ装置２１に、２つの通信条件が登録されており、優先順位１の通信条件は、符号化方式「Ｇ．７１１μＬｏｗ（６４ｋ）」、ＩＰパケット送信間隔「４０ｍｓ」、および、ＩＰパケットのペイロードへのＲＴＰパケット多重数「４多重」であり、優先順位２の通信条件は、符号化方式「Ｇ．７２９Ａ（８ｋ）」、ＩＰパケット送信間隔「８０ｍｓ」、および、ＩＰパケットのペイロードへのＲＴＰパケット多重数「８多重」である。また、ＶｏＩＰ装置２２に、２つの通信条件が登録されており、優先順位１の通信条件は、符号化方式「Ｇ．７２３．１（６．３ｋ）」、ＩＰパケット送信間隔「３０ｍｓ」、および、ＩＰパケットのペイロードへのＲＴＰパケット多重数「１多重」であり、優先順位２の通信条件は、符号化方式「Ｇ．７２９Ａ（８ｋ）」、ＩＰパケット送信間隔「８０ｍｓ」、および、ＩＰパケットのペイロードへのＲＴＰパケット多重数「８多重」である。そして、ＶｏＩＰ装置２３に、１つの通信条件のみが登録されており、その通信条件は、符号化方式「Ｇ．７２９Ａ（８ｋ）」、ＩＰパケット送信間隔「８０ｍｓ」、および、ＩＰパケットのペイロードへのＲＴＰパケット多重数「８多重」である。
【００１８】
以上のような構成において、ＶｏＩＰ通信装置１は、ＩＰ網３を介して、ＶｏＩＰ通信装置２との間でＶｏＩＰ通信を行なう。これにより、自身が収容する公衆回線網４や交換機５や回線端末６を、ＶｏＩＰ通信装置２に接続する。
【００１９】
なお、本実施形態のＶｏＩＰ通信装置１は、ＡＳＩＣ（Ａｐｐｌｉｃａｔｉｏｎ　ＳｐｅｃｉｆｉｃＩｎｔｅｇｒａｔｅｄ　Ｃｉｒｃｕｉｔ）やＤＳＰ（Ｄｉｇｉｔａｌ　Ｓｉｇｎａｌ　Ｐｒｏｃｅｓｓｏｒ）を使用して専用装置として構築してもよいし、あるいは、汎用のコンピュータシステム上にソフトウエア的に構築しても構わない。ここで、汎用のコンピュータシステム上に、ＶｏＩＰ通信装置１をソフトウエア的に構築するためのプログラムは、ＣＤ−ＲＯＭ等の記録メディアに格納されて、コンピュータシステムに提供されるようにしてもよい。あるいは、ネットワークを介してコンピュータシステムに提供されるようにしてもよい。
【００２０】
図２は、本発明の一実施形態であるＶｏＩＰ通信装置１の概略図である。
【００２１】
図示するように、本実施形態のＶｏＩＰ通信装置１は、公衆回線網４や交換機５や回線端末６と接続するための回線インターフェース部１１と、ＩＰ網３と接続するためのＩＰインターフェース部１２と、ＲＴＰ処理部１３と、呼制御処理部１４と、アドレス変換テーブル１５と、通信条件テーブル１６とを有する。
【００２２】
回線インターフェース部１１には、公衆回線網４、交換機５および回線端末６の接続ポート毎に、そのポートが音声通話に使われるのか、それとも、ＦＡＸ通信に使われるのかを示す通信種別が設定されている。
【００２３】
ＲＴＰ処理部１３は、回線インターフェース部１１より受け取った通話信号やＦＡＸ信号を、呼制御処理部１４から指示された通信条件に従って処理し、これをＲＴＰパケット化する。そして、このＲＴＰパケットをＩＰインターフェース部１２へ送出する。また、ＲＴＰ処理部１３は、ＩＰインターフェース部１２より受け取ったＲＴＰパケットから信号を取り出し、これを呼制御処理部１４から指示された通信条件に従って処理して通話信号やＦＡＸ信号に復元する。そして、復元した通話信号やＦＡＸ信号を回線インターフェース部１１へ送出する。
【００２４】
アドレス変換テーブル１５には、図３に示すように、回線インターフェース部１１に収容されている公衆回線網４や交換機５や回線端末６との通信相手となる装置の電話番号１５１と、この電話番号１５１を持つ装置への接続を中継するＶｏＩＰ通信装置２のＩＰアドレス１５２とが、互いに対応付けられて登録されている。
【００２５】
通信条件テーブル１６には、通信相手となるＶｏＩＰ通信装置２毎に、ＶｏＩＰ通信に使用可能な通信条件が優先順位を付けられて登録されている。
【００２６】
図４に、通信条件テーブル１６の登録内容例を示す。図示するように、通信条件テーブル１６は、音声通信条件テーブル１６ａと、ＦＡＸ通信条件テーブル１６ｂと、優先順位テーブル１６ｃと、を有する。
【００２７】
音声通信条件テーブル１６ａには、ＶｏＩＰ通信装置１がＶｏＩＰ通信に利用可能な音声通信条件１６２が、その識別番号１６１と共に登録されている。ＦＡＸ通信条件テーブル１６ｂには、ＶｏＩＰ通信装置１がＶｏＩＰ通信に利用可能なＦＡＸ通信条件１６４が、その識別番号１６３と共に登録されている。そして、優先順位テーブル１６ｃには、通信相手となるＶｏＩＰ通信装置２のＩＰアドレス１６５毎に、そのＶｏＩＰ通信装置２との通信に使用すべき通信条件（音声通信条件、ＦＡＸ通信条件）の優先順位のリスト１６６が登録されている。
【００２８】
図４に示すテーブル１６ａ〜１６ｃにおいて、例えばＩＰアドレス「１９２．１６８．０．１００」を持つＶｏＩＰ通信装置２に対して、２つの音声通信条件が登録されており、優先順位１の音声通信条件Ｖ１は、符号化方式「Ｇ．７１１μＬｏｗ（６４ｋ）」、ＩＰパケット送信間隔「４０ｍｓ」、および、ＩＰパケットのペイロードへのＲＴＰパケット多重数「４多重」であり、優先順位２の音声通信条件Ｖ２は、符号化方式「Ｇ．７２９Ａ（８ｋ）」、ＩＰパケット送信間隔「８０ｍｓ」、および、ＩＰパケットのペイロードへのＲＴＰパケット多重数「８多重」である。また、このＶｏＩＰ通信装置２に対して、１つのＦＡＸ通信条件が登録されており、そのＦＡＸ通信条件Ｆ１は、符号化方式「独自方式」、ＩＰパケット送信間隔「１００ｍｓ」、および、ＩＰパケットのペイロードへのＲＴＰパケット多重数「１０多重」である。
【００２９】
呼制御処理部１４は、アドレス変換テーブル１５および通信条件テーブル１６を用いて、回線インターフェース部１１およびＩＰインターフェース部１２間の呼制御プロトコルの変換、つまり、公衆回線網４や交換機５や回線端末６が採用する呼制御プロトコルに従った呼制御信号と、ＶｏＩＰ通信装置２が採用するＩＴＵ−ＴのＨ．３２３に従った呼制御メッセージを格納したＨ．３２３パケットとの変換処理を行なう。
【００３０】
図５は、ＩＰインターフェース部１２つまりＩＰ網３側から呼が着信する場合における呼制御処理部１４の動作を説明するためのフロー図である。
【００３１】
呼制御処理部１４は、ＩＰインターフェース部１２を介してＩＰ網３から呼設定要求のためのＨ．３２３パケットを受信すると（Ｓ４００１）、受信した呼設定要求内から予め定められた規則に従い、優先順位が付与された少なくとも１つの通信条件（音声通信条件あるいはＦＡＸ通信条件）を含む通信条件問合せを、通信相手のＶｏＩＰ通信装置２から入手する（Ｓ４００２）。例えば、発呼側のＶｏＩＰ通信装置２が、呼設定要求のためのＨ．３２３パケットに通信条件問合せを含め発呼し、着呼側である本実施形態のＶｏＩＰ通信装置１において、呼制御処理部１４が、このＨ．３２３パケットから通信条件問合せを抽出する。
【００３２】
次に、呼制御処理部１４は、変数ｎを１に設定する（Ｓ４００３）。そして、入手した通信条件問合せから、優先順位ｎの通信条件（ここでは、ｎ＝１のときに優先順位ｎが最も高いものとする）を抽出し（Ｓ４００４）、この優先順位ｎの通信条件が通信条件テーブル１６に登録されているか否かを調べる（Ｓ４００５）。具体的には、呼設定要求が音声通信のための呼の設定を要求するものである場合は、優先順位ｎの通信条件が音声通信条件テーブル１６ａに登録されているか否かを調べる。一方、呼設定要求がＦＡＸ通信のための呼の設定を要求するものである場合は、優先順位ｎの通信条件がＦＡＸ通信条件テーブル１６ｂに登録されているか否かを調べる。なお、呼設定要求が、音声通信のための呼の設定を要求するものか、それとも、ＦＡＸ通信のための呼の設定を要求するものかの判定は、例えば、呼設定要求のためのＨ．３２３パケットに含まれている通信種別の情報を用いることで行なうことができる。
【００３３】
Ｓ４００５において、優先順位ｎの通信条件が通信条件テーブル１６に登録されていないと判定した場合、呼制御処理部１４は、入手した通信条件問合せに含まれている全ての通信条件を抽出していないならば（Ｓ４００６）、変数ｎを１つインクリメントして（Ｓ４００７）、Ｓ４００４に戻る。
【００３４】
一方、Ｓ４００５において、優先順位ｎの通信条件が通信条件テーブル１６に登録されていると判定した場合、呼制御処理部１４は、この優先順位ｎの通信条件で通信が可能であることを示す通信許可応答を、通信相手のＶｏＩＰ通信装置２へ送信する（Ｓ４００８）。例えば、呼出通知のためのＨ．３２３パケットに通信許可応答を含め、これをＩＰインターフェース部１２を介して、通信相手のＶｏＩＰ通信装置２へ送信する。
【００３５】
また、呼制御処理部１４は、通信相手のＶｏＩＰ通信装置２との間でＩＴＵ−ＴのＨ．３２３に従った呼制御メッセージを送受する。これと共に、この呼制御メッセージに従い、通話相手のＶｏＩＰ通信装置２からの呼設定要求に伴う宛先の電話番号により特定される公衆回線網４や交換機５や回線端末６との間で、これらが採用する呼制御プロトコルに従った呼制御信号を送受する。これにより、通信相手のＶｏＩＰ通信装置２が、宛先の電話番号により特定される公衆回線網４や交換機５や回線端末６と通信を行なえるように、呼制御処理を続行する（Ｓ４００９）。そして、呼制御処理部１４は、呼が確立したならば、通信許可を応答した優先順位ｎの通信条件と、通信相手のＶｏＩＰ通信装置２のＩＰアドレスと、前記宛先の電話番号により特定される公衆回線網４や交換機５や回線端末６の接続ポートとを、ＲＴＰ処理部１３に設定する。
【００３６】
これにより、ＲＴＰ処理部１３は、ＩＰインターフェース部１２を介して、通信相手のＶｏＩＰ通信装置２から送られてきたＲＴＰパケットを、前記優先順位ｎの通信条件に従って処理し、通話信号あるいはＦＡＸ信号を得る。そして、この通信信号を、回線インターフェース部１１を介して、前記宛先の電話番号により特定される公衆回線網４や交換機５や回線端末６へ送信する。また、ＲＴＰ処理部１３は、回線インターフェース部１１を介して、前記宛先の電話番号により特定される公衆回線網４や交換機５や回線端末６から送られてきた通話信号あるいはＦＡＸ信号を、前記優先順位ｎの通信条件に従って処理し、ＲＴＰパケットを得る。そして、このＲＴＰパケットを、ＩＰインターフェース部１２を介して、前記通話相手のＶｏＩＰ通信装置２へ送信する。
【００３７】
なお、Ｓ４００６において、入手した通信条件問合せに含まれている全ての通信条件が抽出されている場合は、入手した通信条件問合せに含まれているいずれの通信条件においても、通信ができないことを意味する。この場合、呼制御処理部１４は、例えば、通信条件問合せに含まれているいずれの通信条件でも通信できないことを示す通信拒否応答を、通信相手のＶｏＩＰ通信装置２へ送信する（Ｓ４０１０）。これにより、通信相手のＶｏＩＰ通信装置２との呼制御処理を中止する（Ｓ４０１１）。
【００３８】
図６は、回線インターフェース部１１つまり公衆回線網４、交換機５および回線端末６側から呼が着信する場合における呼制御処理部１４の動作を説明するためのフロー図である。
【００３９】
呼制御処理部１４は、回線インターフェース部１１を介して公衆回線網４、交換機５あるいは回線端末６から呼設定要求のための呼制御信号を受信すると（Ｓ５００１）、この呼制御信号を受信した回線インターフェース部１１の接続ポートに設定されている通信種別を特定する。これと共に、アドレス変換テーブル１５を参照して、呼設定要求に伴う宛先の電話番号に対応付けられている、通信相手のＶｏＩＰ通信装置２のＩＰアドレスを入手する（Ｓ５００２）。
【００４０】
次に、呼制御処理部１４は、優先順位テーブル１６ｃから、特定したＩＰアドレス１６５を持つ、特定した通信種別の優先順位リスト１６６を抽出する。そして、この優先順位リスト１６６と、前記通信種別に対応する通信条件テーブル１６ａ、１６ｂとを用いて、通信条件問合せに含める各通信条件とその優先順位を決定する（Ｓ５００３）。それから、通信条件問合せを生成し、これを予め定められた規則に従って通信相手のＶｏＩＰ通信装置２へ通知する（Ｓ５００４）。例えば、呼設定要求のためのＨ．３２３パケットに通信条件問合せを含める。そして、ＩＰインターフェース部１２にて、これを通信相手のＶｏＩＰ通信装置２のＩＰアドレスを宛先とするＩＰパケットに格納し、ＩＰ網３へ送出する。なお、この呼設定要求のためのＨ．３２３パケットには、前記特定した通信種別の情報を含めるとよい。
【００４１】
さて、呼制御処理部１４は、予め定められた規則に従い、ＩＰインターフェース部１２を介して通話相手のＶｏＩＰ通信装置２から、通信条件問合せに対する応答を受信する（Ｓ５００５）。例えば、着呼側のＶｏＩＰ通信装置２が、通信許可応答を含んだ呼出通知のためのＨ．３２３パケット、あるいは、通信拒否応答を含んだＨ．３２３パケットを生成して送信し、発呼側である本実施形態のＶｏＩＰ通信装置１において、呼制御処理部１４が、このＨ．３２３パケットから通信条件問合せに対する応答を抽出する。
【００４２】
Ｓ５００５において、通信条件問合せに対する応答が通信許可応答である場合、呼制御処理部１４は、通信相手のＶｏＩＰ通信装置２との間でＩＴＵ−ＴのＨ．３２３に従った呼制御メッセージを送受する。これと共に、この呼制御メッセージに従い、発呼側の公衆回線網４や交換機５や回線端末６との間で、これらが採用する呼制御プロトコルに従った呼制御信号を送受する。これにより、発呼側の公衆回線網４や交換機５や回線端末６が、通信相手のＶｏＩＰ通信装置２と通信を行なえるように、呼制御処理を続行する（Ｓ５００６）。そして、呼制御処理部１４は、呼が確立したならば、通信許可応答に含まれている通信条件と、通信相手のＶｏＩＰ通信装置２のＩＰアドレスと、発呼側の公衆回線網４や交換機５や回線端末６の接続ポートとを、ＲＴＰ処理部１３に設定する。
【００４３】
これにより、ＲＴＰ処理部１３は、ＲＴＰ処理部１３は、回線インターフェース部１１を介して、発呼側の公衆回線網４や交換機５や回線端末６から送られてきた通話信号あるいはＦＡＸ信号を、通信許可応答に含まれている通信条件に従って処理し、ＲＴＰパケットを得る。そして、このＲＴＰパケットを、ＩＰインターフェース部１２を介して、通話相手のＶｏＩＰ通信装置２へ送信する。また、ＩＰインターフェース部１２を介して、通信相手のＶｏＩＰ通信装置２から送られてきたＲＴＰパケットを、通信許可応答に含まれている通信条件に従って処理し、通話信号あるいはＦＡＸ信号を得る。そして、この通信信号を、回線インターフェース部１１を介して、発呼側の公衆回線網４や交換機５や回線端末６へ送信する。
【００４４】
一方、Ｓ５００５において、通信条件問合せに対する応答が通信拒否応答である場合、呼制御処理部１４は、発呼側の公衆回線網４や交換機５や回線端末６に対し、話中処理や切断処理などの、通信ネゴシエーションに失敗したことを通知するための処理を行なう（Ｓ５００７）。また、通信相手のＶｏＩＰ通信装置２との呼制御処理を中止する（Ｓ５００８）。
【００４５】
以上、本発明の一実施形態について説明した。
【００４６】
本実施形態のＶｏＩＰ通信装置１によれば、ＶｏＩＰ通信装置２に発呼する場合、このＶｏＩＰ通信装置２に、このＶｏＩＰ通信装置２のための優先順位が付与された通信条件を、通信条件問合せにより通知することができる。このため、着呼側のＶｏＩＰ通信装置２やこれが接続されたＩＰ網の能力を考慮して、当該ＶｏＩＰ通信装置２のための優先順位リストを予め登録しておくことにより、これらの能力を考慮したＶｏＩＰ通信条件のネゴシエーションが可能となる。
【００４７】
例えば、図１において、ＶｏＩＰ通信装置２１に対しては、優先順位１の通信条件として、符号化方式「Ｇ．７１１μＬｏｗ（６４ｋ）」、ＩＰパケット送信間隔「４０ｍｓ」、および、ＩＰパケットのペイロードへのＲＴＰパケット多重数「４多重」の通信条件を、そして、優先順位２の通信条件として、符号化方式「Ｇ．７２９Ａ（８ｋ）」、ＩＰパケット送信間隔「８０ｍｓ」、および、ＩＰパケットのペイロードへのＲＴＰパケット多重数「８多重」の通信条件を、通信条件問合せに含めて、ＶｏＩＰ通信装置２１に通知することにより、ＶｏＩＰ通信装置２１での優先順位が最も高い通信条件で、ＶｏＩＰ通信装置２１とＶｏＩＰ通信を行なうことが可能となる。
【００４８】
同様に、ＶｏＩＰ通信装置２２に対しては、優先順位１の通信条件として、符号化方式「Ｇ．７２３．１（６．３ｋ）」、ＩＰパケット送信間隔「３０ｍｓ」、および、ＩＰパケットのペイロードへのＲＴＰパケット多重数「１多重」の通信条件を、そして、優先順位２の通信条件として、符号化方式「Ｇ．７２９Ａ（８ｋ）」、ＩＰパケット送信間隔「８０ｍｓ」、および、ＩＰパケットのペイロードへのＲＴＰパケット多重数「８多重」の通信条件を、通信条件問合せに含めて、ＶｏＩＰ通信装置２２に通知することにより、ＶｏＩＰ通信装置２２での優先順位が最も高い通信条件で、ＶｏＩＰ通信装置２２とＶｏＩＰ通信を行なうことが可能となる。
【００４９】
なお、本発明は上記の実施形態に限定されものではなく、その要旨の範囲内で数々の変形が可能である。
【００５０】
例えば、ＶｏＩＰ通信装置１において、ＩＰインターフェース部１２の代わりにＬＡＮインターフェース部を設け、ＨＡＢやルータを介して、ＩＰ網３に繋がるようにしてもよい。
【００５１】
また、ＶｏＩＰ通信装置１およびＶｏＩＰ通信装置２間におけるＶｏＩＰ通信のための呼制御プロトコルとして、Ｈ．３２３を利用する場合を例にとり説明したが、ＶｏＩＰ通信のための呼制御プロトコルとして、ＳＩＰ等のその他のプロトコルを利用してもよい。
【００５２】
さらに、ＶｏＩＰ通信装置１のＶｏＩＰ通信による通信相手として、既存のＶｏＩＰ装置２に限らない。本実施形態のＶｏＩＰ通信装置１同士が、ＶｏＩＰ通信を行なうようにしてもよい。
【００５３】
【発明の効果】
以上説明したように、本発明によれば、着呼側のＶｏＩＰ通信装置の能力を考慮して、ＶｏＩＰ通信条件のネゴシエーションを行なうことができる。
【図面の簡単な説明】
【図１】本発明の一実施形態であるＶｏＩＰ通信装置が用いられたＶｏＩＰ通信システムの概略図である。
【図２】図１に示すＶｏＩＰ通信装置１の概略図である。
【図３】図２に示すアドレス変換テーブル１５の登録内容例を示す図である。
【図４】図２に示す通信条件テーブル１６の登録内容例を示す図である。
【図５】図２において、ＩＰインターフェース部１２から呼が着信する場合における呼制御処理部１４の動作を説明するためのフロー図である。
【図６】図２において、回線インターフェース部１１から呼が着信する場合における呼制御処理部１４の動作を説明するためのフロー図である。
【符号の説明】
１…ＶｏＩＰ通信装置、２…ＶｏＩＰ通信装置、３…ＩＰ網、４…公衆回線網、５…交換機、６…回線端末、１１…回線インターフェース部、１２…ＩＰインターフェース部、１３…ＲＴＰ処理部、１４…呼制御処理部、１５…アドレス変換テーブル、１６…通信条件テーブル
【図１】
2004040653.tif 000003
【図２】
2004040653.tif 000004
【図３】
2004040653.tif 000005
【図４】
2004040653.tif 000006
【図５】
2004040653.tif 000007
【図６】
2004040653.tif 000008